(57)【要約】【課題】  上りリンクパケットデータサービスを支援する移動通信システムにおいて、１つの最適のスケジューリングＮｏｄｅ Ｂ及び少なくとも１つの非最適のスケジューリングＮｏｄｅ Ｂと通信するＵＥが、ＵＥ状態情報を送信する方法及び装置に関する。【解決手段】  ＵＥは、ＵＥ状態情報を含む送信チャンネルデータを生成し、送信チャンネルデータを最適のスケジューリングＮｏｄｅ Ｂ及び少なくとも１つの非最適のスケジューリングＮｏｄｅ Ｂへ送信し、最適のスケジューリングＮｏｄｅ Ｂから送信チャンネルデータに対する応答信号を受信し、最適のスケジューリングＮｏｄｅ Ｂから受信された応答信号が否定（ＮＡＣＫ）信号であれば、送信チャンネルデータを再送信し、最適のスケジューリングＮｏｄｅ Ｂから受信された応答信号が肯定（ＡＣＫ）信号であれば、送信チャンネルデータの再送信を終了する。【選択図】  図９
2006050644.tif 000002
【特許請求の範囲】
【請求項１】
上りリンクパケットデータサービスを支援する移動通信システムにおいて、１つの最適スケジューリング基地局及び少なくとも１つの非最適スケジューリング基地局と通信する端末機が端末機の状態情報を送信する方法であって、
前記端末機の状態情報を含む送信チャンネルデータを生成するステップと、
前記送信チャンネルデータを前記最適スケジューリング基地局及び前記少なくとも１つの非最適スケジューリング基地局へ送信するステップと、
前記最適スケジューリング基地局から前記送信チャンネルデータに対する応答信号を受信するステップと、
前記最適スケジューリング基地局から受信された応答信号が否定（ＮＡＣＫ）信号であれば、前記少なくとも１つの非最適スケジューリング基地局からの肯定（ＡＣＫ）あるいは否定信号の受信に関係なく、前記送信チャンネルデータを再送信するステップと、
前記最適スケジューリング基地局から受信された応答信号が肯定信号であれば、前記送信チャンネルデータの再送信を終了するステップと
を含むことを特徴とする方法。
【請求項２】
前記端末機の状態情報は、
前記端末機の状態情報が送信される時点の送信電力情報及び上りリンクデータ量に関する情報のうちの少なくとも１つを含むことを特徴とする請求項１記載の方法。
【請求項３】
前記送信チャンネルデータを生成するステップは、
ヘッダー及びペイロードを含む送信チャンネルデータを生成するステップと、
前記端末機の状態情報を送信するか否かを判断するステップと、
前記端末機の状態情報を送信するものと判断される場合に、前記送信チャンネルデータに前記端末機の状態情報を挿入するステップと
を含むことを特徴とする請求項１記載の方法。
【請求項４】
前記再送信するステップは、
前記送信チャンネルデータを所定の最大再送信回数以内で所定のチャンネル利得を使用して送信し、前記最大再送信回数及び前記チャンネル利得のうちの少なくとも１つは、前記送信チャンネルデータが前記端末機の状態情報を含むか否かに従って設定されることを特徴とする請求項１記載の方法。
【請求項５】
前記送信チャンネルデータが前記端末機の状態情報を含まないと、前記送信チャンネルデータの前記最大再送信回数を第１の値に設定し、前記送信チャンネルデータが前記端末機の状態情報を含むと、前記送信チャンネルデータの前記最大再送信回数を前記第１の値よりも大きい第２の値に設定するステップをさらに含むことを特徴とする請求項４記載の方法。
【請求項６】
前記端末機の状態情報を含む前記送信チャンネルデータの再送信回数が前記第２の値に到達するまで、前記最適スケジューリング基地局から前記送信チャンネルデータに対する肯定信号が受信されない場合に、前記端末機の状態情報及び次のパケットデータを含む新たな送信チャンネルデータを前記最適スケジューリング基地局及び前記少なくとも１つの非最適スケジューリング基地局へ送信するステップをさらに含むことを特徴とする請求項５記載の方法。
【請求項７】
前記送信チャンネルデータが前記端末機の状態情報を含まないと、前記送信チャンネルデータの前記チャンネル利得を第１の値に設定し、前記送信チャンネルデータが前記端末機の状態情報を含むと、前記送信チャンネルデータの前記チャンネル利得を前記第１の値よりも大きい第２の値に設定するステップをさらに含むことを特徴とする請求項４記載の方法。
【請求項８】
上りリンクパケットデータサービスを支援する移動通信システムにおいて、１つの最適スケジューリング基地局及び少なくとも１つの非最適スケジューリング基地局と通信する端末機が端末機の状態情報を送信する方法であって、
前記端末機の状態情報を含む送信チャンネルデータを生成するステップと、
前記送信チャンネルデータを前記最適スケジューリング基地局及び前記少なくとも１つの非最適スケジューリング基地局へ送信するステップと、
前記最適スケジューリング基地局及び前記少なくとも１つの非最適スケジューリング基地局から前記送信チャンネルデータに対する応答信号を受信するステップと、
前記最適スケジューリング基地局から受信された応答信号が否定（ＮＡＣＫ）信号であり、前記少なくとも１つの非最適スケジューリング基地局から受信された応答信号が肯定（ＡＣＫ）信号であれば、前記端末機の状態情報及び新たなパケットデータを含む送信チャンネルデータを前記最適スケジューリング基地局及び前記少なくとも1つの非最適スケジューリング基地局へ送信するステップと、
前記最適スケジューリング基地局から受信された応答信号が肯定信号であれば、前記送信チャンネルデータの送信を終了するステップと
を含むことを特徴とする方法。
【請求項９】
前記最適スケジューリング基地局から受信された応答信号及び前記少なくとも１つの非最適スケジューリング基地局から受信された応答信号がすべて否定信号であれば、前記端末機の状態情報及び前記パケットデータを含む送信チャンネルデータを前記最適スケジューリング基地局及び前記非最適スケジューリング基地局へ送信するステップをさらに含むことを特徴とする請求項８記載の方法。
【請求項１０】
前記端末機の状態情報は、
前記端末機の状態情報が送信される時点の送信電力情報又は上りリンクデータ量に関する情報を含むことを特徴とする請求項８記載の方法。
【請求項１１】
前記送信チャンネルデータを生成するステップは、
ヘッダー及びペイロードを有する送信チャンネルデータを生成するステップと、
前記端末機の状態情報を送信する否かを判断するステップと、
前記端末機の状態情報を送信するものと判断された場合に、前記送信チャンネルデータに前記端末機の状態情報を挿入するステップとを含むことを特徴とする請求項８記載の方法。
【請求項１２】
上りリンクパケットデータサービスを支援する移動通信システムにおいて、１つの最適スケジューリング基地局及び少なくとも１つの非最適スケジューリング基地局へ端末機の状態情報を送信する端末機装置であって、
前記端末機の状態情報を含む送信チャンネルデータを生成する生成器と、
前記送信チャンネルデータを前記最適スケジューリング基地局及び前記少なくとも１つの非最適スケジューリング基地局へ送信する送信器と、
前記最適スケジューリング基地局から前記送信チャンネルデータに対する応答信号を受信する受信器とを含み、
前記送信器は、前記送信チャンネルデータが前記端末機の状態情報を含むと、前記少なくとも１つの非最適スケジューリング基地局から受信された応答信号を考慮せず、前記最適スケジューリング基地局から受信された応答信号に従って前記端末機の状態情報を選択的に再送信することを特徴とする装置。
【請求項１３】
前記端末機の状態情報は、
前記端末機の状態情報が送信される時点の送信電力情報及び上りリンクデータ量に関する情報のうちの少なくとも１つを含むことを特徴とする請求項１２記載の装置。
【請求項１４】
前記生成器は、
前記端末機の状態情報を送信するか否かを示す制御信号に従って、前記送信チャンネルデータに前記端末機の状態情報を挿入することを特徴とする請求項１２記載の装置。
【請求項１５】
前記送信器は、
前記送信チャンネルデータを所定の最大再送信回数以内で所定のチャンネル利得を使用して送信し、前記最大再送信回数及び前記チャンネル利得のうちの少なくとも１つは、前記送信チャンネルデータが前記端末機の状態情報を含むか否かに従って設定されることを特徴とする請求項１２記載の装置。
【請求項１６】
前記送信チャンネルデータが前記端末機の状態情報を含まないと、前記送信チャンネルデータの前記最大再送信回数は、第１の値に設定され、前記送信チャンネルデータが前記端末機の状態情報を含むと、前記送信チャンネルデータの前記最大再送信回数は、前記第１の値よりも大きい第２の値に設定されることを特徴とする請求項１５記載の装置。
【請求項１７】
前記送信器は、
前記端末機の状態情報を含む前記送信チャンネルデータの再送信回数が前記第２の値に到達するまで、前記最適スケジューリング基地局から前記送信チャンネルデータに対する肯定信号が受信されない場合に、前記端末機の状態情報及び次のパケットデータを含む新たな送信チャンネルデータを前記最適スケジューリング基地局及び前記少なくとも１つの非最適スケジューリング基地局へ送信することを特徴とする請求項１６記載の装置。
【請求項１８】
前記送信チャンネルデータが前記端末機の状態情報を含まないと、前記送信チャンネルデータの前記チャンネル利得は、第１の値に設定され、前記送信チャンネルデータが前記端末機の状態情報を含むと、前記送信チャンネルデータの前記チャンネル利得は、前記第１の値よりも大きい第２の値に設定されることを特徴とする請求項１５記載の装置。
【請求項１９】
前記送信器は、
前記最適スケジューリング基地局から受信された応答信号が否定（ＮＡＣＫ）信号であり、前記少なくとも１つの非最適スケジューリング基地局から受信された応答信号が肯定（ＡＣＫ）信号であれば、前記端末機の状態情報及び新たなパケットデータを含む送信チャンネルデータを前記最適スケジューリング基地局及び前記少なくとも１つの非最適スケジューリング基地局へ送信し、前記最適スケジューリング基地局から受信された応答信号が肯定信号であれば、前記送信チャンネルデータの再送信を終了することを特徴とする請求項１２記載の装置。
【請求項２０】
前記送信器は、
前記最適スケジューリング基地局から受信された応答信号及び前記少なくとも１つの非最適スケジューリング基地局から受信された応答信号がすべて否定信号であれば、前記端末機の状態情報及び前記パケットデータを含む送信チャンネルデータを前記最適スケジューリング基地局及び前記少なくとも１つの非最適スケジューリング基地局へ送信することを特徴とする請求項１９記載の装置。
【請求項２１】
上りリンクパケットデータサービスを支援する移動通信システムにおいて、１つの最適スケジューリング基地局及び少なくとも１つの非最適スケジューリング基地局と通信する端末機が上りリンクパケットデータを送信する方法であって、
前記上りリンクパケットデータサービスのためのパケットデータを有する送信チャンネルデータの送信形式を示す第１の制御チャンネルデータ及び前記端末機の状態情報を含む第２の制御チャンネルデータを生成するステップと、
前記最適スケジューリング基地局及び前記少なくとも１つの非最適スケジューリング基地局から受信された電力制御命令に従って、前記第１の制御チャンネルデータのための第１の送信電力を決定するステップと、
前記第２の制御チャンネルデータのための所定の電力オフセット値を設定するステップと、
前記第１の送信電力に前記電力オフセット値を付加して、前記第２の制御チャンネルデータのための第２の送信電力を決定するステップと、
前記第１の制御チャンネルデータ及び前記第２の制御チャンネルデータに前記第１の送信電力及び前記第２の送信電力に対するチャンネル利得を適用した後に、多重化して送信するステップと
を含むことを特徴とする方法。
【請求項２２】
前記電力オフセット値は、
あらかじめ決定された固定値又は無線網制御器によって決定された後に報告された値であることを特徴とする請求項２１記載の方法。
【請求項２３】
前記電力オフセット値を設定するステップは、
前記最適スケジューリング基地局及び前記少なくとも１つの非最適スケジューリング基地局から受信された電力制御命令を結合して、結合電力制御命令を決定するステップと、
前記結合電力制御命令が前記最適スケジューリング基地局から受信された電力制御命令とは異なる場合に、前記電力オフセット値を以前のスロットの電力オフセット値から所定値だけ増加させるステップと、
前記結合電力制御命令が前記最適スケジューリング基地局から受信された電力制御命令と同一である場合に、前記電力オフセット値を前記以前のスロットの電力オフセット値に設定するステップと
を含むことを特徴とする請求項２１記載の方法。
【請求項２４】
前記電力オフセット値を設定するステップは、
前記結合電力制御命令が前記最適スケジューリング基地局から受信された電力制御命令とは異なる場合に、前記電力オフセット値があらかじめ決定された限度値に到達したか否かを判断するステップと、
前記電力オフセット値が前記限度値に到達すると、前記最適スケジューリング基地局から受信された電力制御命令を解析するステップと、
前記最適スケジューリング基地局から受信された電力制御命令がアップ（ＵＰ）命令であれば、前記電力オフセット値を前記限度値に保持するステップと、
前記最適スケジューリング基地局から受信された電力制御命令がダウン（ＤＯＷＮ）命令であれば、前記電力オフセット値を初期化するステップとをさらに含むことを特徴とする請求項２３記載の方法。
【請求項２５】
前記第２の制御チャンネルデータは、少なくとも２回反復して送信されることを特徴とする請求項２１記載の方法。
【請求項２６】
上りリンクパケットデータサービスを支援する移動通信システムにおいて、上りリンクパケットデータを１つの最適スケジューリング基地局及び少なくとも１つの非最適スケジューリング基地局へ送信する端末機装置であって、
前記上りリンクパケットデータサービスのためのパケットデータを有する送信チャンネルデータの送信形式を示す第１の制御チャンネルデータを生成する第１の制御チャンネル生成器と、
前記端末機の状態情報を含む第２の制御チャンネルデータを生成する第２の制御チャンネル生成器と、
前記第１の制御チャンネルデータに第１の送信電力に対する第１の電力利得を乗じ、前記第２の制御チャンネルデータに第２の送信電力に対する第２の電力利得を乗じた後に、多重化して送信する多重化器とを含み、
前記第２の送信電力は、前記第１の送信電力に前記第２の制御チャンネルデータのための所定の電力オフセットを付加して決定されることを特徴とする装置。
【請求項２７】
前記電力オフセット値は、
あらかじめ決定された固定値又は無線網制御器によって決定された後に報告された値であることを特徴とする請求項２６記載の装置。
【請求項２８】
前記最適スケジューリング基地局及び前記少なくとも１つの非最適スケジューリング基地局から受信された電力制御命令を結合して決定された結合電力制御命令が前記最適スケジューリング基地局から受信された電力制御命令とは異なる場合に、前記電力オフセット値は、以前のスロットの電力オフセット値から所定値だけ増加され、
前記結合電力制御命令が前記最適スケジューリング基地局から受信された電力制御命令と同一である場合に、前記電力オフセット値は、前記以前のスロットの電力オフセット値に設定されることを特徴とする請求項２６記載の装置。
【請求項２９】
前記増加された電力オフセット値が前記限度値に到達し、前記最適スケジューリング基地局から受信された電力制御命令がアップ（ＵＰ）命令であれば、 前記電力オフセット値は、あらかじめ決定された限度値に保持され、
前記増加された電力オフセット値が前記限度値に到達し、前記最適スケジューリング基地局から受信された電力制御命令がダウン（ＤＯＷＮ）命令であれば、前記電力オフセット値は、初期化されることを特徴とする請求項２８記載の装置。
【請求項３０】
前記第２の制御チャンネルデータは、少なくとも２回反復して送信されることを特徴とする請求項２６記載の装置。
【請求項３１】
上りリンクパケットデータサービスを支援する移動通信システムにおいて、１つの最適スケジューリング基地局及び少なくとも１つの非最適スケジューリング基地局がサービスを受ける端末機からパケットデータを受信する方法であって、
前記最適スケジューリング基地局及び前記少なくとも１つの非最適スケジューリング基地局で前記上りリンクパケットデータサービスのための送信チャンネルデータを受信するステップと、
前記送信チャンネルデータが前記端末機のパケットデータサービスのための端末機の状態情報を含むか否かを判断するステップと、
前記送信チャンネルデータが前記端末機の状態情報を含むと、前記最適スケジューリング基地局で前記送信チャンネルデータにエラーがあるか否かに従って、ＮＡＣＫ信号あるいはＡＣＫ信号を送信するステップと、
前記送信チャンネルデータが前記端末機の状態情報を含み、パケットデータを含まないと、前記少なくとも1つの非最適スケジューリング基地局で前記送信チャンネルデータにエラーがあるか否かを無視するステップと
を含むことを特徴とする方法。
【請求項３２】
前記端末機の状態情報は、
前記端末機の状態情報が送信される時点の送信電力情報及び上りリンクデータ量に関する情報のうちの少なくとも1つを含むことを特徴とする請求項３１記載の方法。
【請求項３３】
前記送信チャンネルデータが前記端末機の状態情報を含まないと、前記送信チャンネルデータの前記最大再送信回数を第１の値に設定し、前記送信チャンネルデータが前記端末機の状態情報を含むと、前記送信チャンネルデータの前記最大再送信回数を前記第１の値よりも大きい第２の値に設定するステップをさらに含むことを特徴とする請求項３１記載の方法。
【請求項３４】
前記送信チャンネルデータが前記端末機の状態情報を含まないと、前記送信チャンネルデータの前記チャンネル利得を第１の値に設定し、前記送信チャンネルデータが前記端末機の状態情報を含むと、前記送信チャンネルデータの前記チャンネル利得を前記第１の値よりも大きい第２の値に設定するステップをさらに含むことを特徴とする請求項３１記載の方法。
【発明の詳細な説明】
【技術分野】
【０００１】
本発明は、非同期広帯域符号分割多重接続（Wideband Code Division Multiple Access；以下、“ＷＣＤＭＡ”と称する。）通信に関し、特に、ソフトハンドオーバー領域において上りリンクパケット送信のための端末機の状態情報をシグナリングする方法及び装置に関する。
【背景技術】
【０００２】
ヨーロッパ移動通信システムである移動体通信用グローバルシステム（Global System for Mobile Communications；ＧＳＭ）及び一般パケットラジオサービス（General Packet Radio Services；ＧＰＲＳ）に基づき、広帯域（Wideband）符号分割多重接続（Code Division Multiple Access；以下、ＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに関係なく、パケットに基づくテキスト、ディジタル化された音声又はビデオ、及びマルチメディアデータを２Ｍｂｐｓ以上の高速で送信することができる一貫したサービスを提供する。ＵＭＴＳは、インタネットプロトコル（Internet Protocol；ＩＰ）のようなパケットプロトコルを使用する“パケット交換方式の接続”と呼ばれる仮想接続の概念を使用し、ネットワーク内の他のどの端末でも常に接続することができる。
【０００３】
図１は、ＵＭＴＳシステムの無線接続ネットワーク（UMTS Terrestrial Radio Access Network；以下、ＵＴＲＡＮと称する）の構成を示す図である。
図１を参照すると、ＵＴＲＡＮ１２は、無線網制御器（Radio Network Controller；以下、ＲＮＣと称する）１６ａ及び１６ｂとＮｏｄｅ Ｂ  １８ａ、１８ｂ、１８ｃ、及び１８ｄとを含み、端末機（User Equipment；以下、ＵＥと称する）２０を基幹網（Core Network）１０に接続する。Ｎｏｄｅ Ｂ  １８ａ、１８ｂ、１８ｃ、及び１８ｄの下位には、複数のセルが存在することができ、各ＲＮＣ１６ａ及び１６ｂは、該当下位のＮｏｄｅ Ｂ  １８ａ、１８ｂ、１８ｃ、及び１８ｄを制御する。例えば、図１において、ＲＮＣ  １６ａは、Ｎｏｄｅ Ｂ  １８ａ及び１８ｂを制御し、ＲＮＣ  １６ｂは、Ｎｏｄｅ Ｂ  １８ｃ及び１８ｄを制御する。Ｎｏｄｅ Ｂ  １８ａ、１８ｂ、１８ｃ、及び１８ｄのそれぞれは、該当する下位のセルを制御する。１つのＲＮＣ及び上記ＲＮＣによって制御される該当Ｎｏｄｅ Ｂ及びセルは、無線網サブシステム（Radio Network Subsystem；以下、ＲＮＳと称する）１４ａ及び１４ｂを構成する。
【０００４】
ＲＮＣ  １６ａ及び１６ｂの各々は、自身が制御するＮｏｄｅ Ｂ  １８ａから１８ｄの無線資源を割り当てるか、又は、管理し、Ｎｏｄｅ Ｂ  １８ａから１８ｄは、無線資源を実際に提供する。Ｎｏｄｅ Ｂ  １８ａから１８ｄによって提供される無線資源は、自身が管理するセルの無線資源を意味する。ＵＥ  ２０は、特定のＮｏｄｅ Ｂの特定のセルが提供する無線資源を用いて無線チャンネルを構成して通信を遂行することができる。ＵＥ  ２０の立場では、Ｎｏｄｅ Ｂ  １８ａから１８ｄとセルとの間の区別は無意味であり、セルごとに構成される物理階層のみを認識するため、以下、“Ｎｏｄｅ Ｂ  １８ａから１８ｄ”及び“セル”は、同一の意味で使用される。
【０００５】
ＵＥ  ２０とＲＮＣ  １６ａ及び１６ｂとの間のインターフェースは、Ｕｕインターフェースと称され、その詳細な階層的な構成を図２に示す。
図２は、ＵＥと無線網制御器（ＲＮＣ）との間のインターフェースを示す階層的な構成を示す図である。Ｕｕインターフェースは、ＵＥ  ２０とＲＮＣ  １６ａ及び１６ｂとの間で制御信号を交換するために使用される制御プレーン（Control Plane）３０と実際のデータを送信するために使用されるユーザプレーン（User Plane）３２とに区分される。
【０００６】
図２を参照すると、制御プレーン（Ｃ-plane）シグナリング３０は、ＲＲＣ（Radio Resource Control）階層３４、ＲＬＣ（Radio Link Control）階層４０、ＭＡＣ（Media Access Control）階層４２、及び物理（Physical；以下、ＰＨＹと称する）階層４４を介して処理され、ユーザプレーン（U-plane）情報３２は、ＰＤＣＰ（Packet Data Control Protocol）階層３６、ＢＭＣ（Broadcast／Multicast Control）階層３８、ＲＬＣ階層４０、ＭＡＣ階層４２、ＰＨＹ階層４４を介して処理される。ここに示した階層中、ＰＨＹ階層４４は、各セルに位置し、ＭＡＣ階層４２からＲＲＣ階層３４まではＲＮＣに位置する。
【０００７】
ＰＨＹ階層４４は、無線送信（Radio Transfer）技術を用いた情報送信サービスを提供し、ＯＳＩ（Opening Systems Interconnection）モデルの第１の階層（Ｌ１）に該当する。ＰＨＹ階層４４とＭＡＣ階層４２との間は、送信チャンネル（Transport Channels）によって接続され、送信チャンネルは、特定のデータがＰＨＹ階層４４で処理される方式に従って定義される。
【０００８】
ＭＡＣ階層４２は、論理チャンネルを介してＲＬＣ階層４０に接続される。ＭＡＣ階層４２は、論理チャンネルを介してＲＬＣ階層４０から受信されたデータを適切な送信チャンネルを介してＰＨＹ階層４４へ送信し、ＰＨＹ階層４４から送信チャンネルを介して受信されたデータを適切な論理チャンネルを介してＲＬＣ階層４０へ送信する。また、ＭＡＣ階層４２は、論理チャンネル又は送信チャンネルを介して受信されたデータに付加情報を挿入するか、又は、データに挿入された付加情報を解析し、上記解析された付加情報に従って適切な動作を遂行する。また、ＭＡＣ階層４２は、ランダムアクセス動作を制御する。このようなＭＡＣ階層４２で、ユーザプレーン３２に関連した部分は、ＭＡＣ−ｄと称され、制御プレーン３０に関連した部分は、ＭＡＣ−ｃと称される。
【０００９】
ＲＬＣ階層４０は、論理チャンネルの設定及び解除を担当する。ＲＬＣ階層４０は、ＡＭ（Acknowledged Mode）、ＵＭ（Unacknowledged Mode）、及びＴＭ（Transparent Mode）という３種類の動作モードのうちの１つで動作することができ、動作モードごとに相互に異なる機能を提供する。一般に、ＲＬＣ階層４０は、上位階層から提供されたサービスデータユニット（Service Data Unit；以下、ＳＤＵと称する）を適切な大きさに分割するか、又は、組み立てる機能及び誤り訂正機能を遂行する。
【００１０】
ＰＤＣＰ階層３６は、ユーザプレーン３２でＲＬＣ階層４０の上位階層に位置し、ＩＰパケットの形態で送信されたデータのヘッダーを圧縮して復元する機能及び特定のＵＥに移動性サービスを提供するＲＮＣが変更される状況でデータの無損失送信機能を有する。
【００１１】
ＰＨＹ階層４４と上位階層との間を接続する送信チャンネルの特性は、畳込みチャンネル符号化（convolutional channel encoding）、インターリービング（Interleaving）、及びサービス固有送信率整合（service-specific rate matching）のような物理階層処理過程を規定している送信形式（Transport Format；ＴＦ）によって決定される。
【００１２】
ＵＭＴＳシステムでは、ＵＥからＮｏｄｅ Ｂへの上りリンク（Uplink；ＵＬ）通信において、パケット送信の性能を向上させることができるように、向上した上りリンク専用チャンネル（Enhanced Uplink Dedicated Channel；以下、ＥＵＤＣＨ又はＥ−ＤＣＨと称する）を使用する。安定した高速のデータ送信を支援するために、Ｅ−ＤＣＨは、複合自動再送要求（Hybrid Automatic Retransmission Request；ＨＡＲＱ）及び基地局制御スケジューリング（Node B controlled scheduling）のような技術を支援する。上記ＭＡＣ階層において、Ｅ−ＤＣＨの処理を担当する部分をＭＡＣ−ｅと称する。
【００１３】
図３は、無線リンクでＥ−ＤＣＨを介してデータを送信する従来の方法を示す図である。
図３を参照すると、参照番号１００は、Ｅ−ＤＣＨを支援するＮｏｄｅ Ｂを示し、参照番号１０１、１０２、１０３、及び１０４は、Ｅ−ＤＣＨを送信するＵＥを示す。Ｎｏｄｅ Ｂ  １００は、Ｅ−ＤＣＨを使用するＵＥ  １０１から１０４のチャンネル状況を把握してＵＥ  １０１から１０４の各々のデータ送信率をスケジューリングする。システム全体の性能を高めるために、スケジューリングは、Ｎｏｄｅ Ｂ  １００の測定ＲｏＴ（Rise-over Thermal）値が目標ＲｏＴ値を超えないようにしながら、Ｎｏｄｅ Ｂ  １００から遠く離れたＵＥ（例えば、ＵＥ  １０３及び１０４）には、低いデータ送信率を割り当て、Ｎｏｄｅ Ｂ  １００に近く位置したＵＥ（例えば、ＵＥ  １０１及び１０２）には、高いデータ送信率を割り当てる方式にて遂行される。
【００１４】
図４は、Ｅ−ＤＣＨを介してメッセージを送受信する従来の手順を示すシグナリング図である。
図４を参照すると、ステップ２０２で、Ｎｏｄｅ Ｂ及びＵＥは、それらの間にＥ−ＤＣＨを設定する。Ｅ−ＤＣＨ設定ステップ２０２は、専用送信チャンネル（dedicated transport channel）を介してメッセージを送信するステップを含む。Ｅ−ＤＣＨの設定後に、ステップ２０４で、ＵＥは、Ｎｏｄｅ ＢにＵＥ状態情報を提供する。上記ＵＥ状態情報は、上りリンクチャンネル情報を示すＵＥの送信電力情報、ＵＥが送信することができる余分の電力に関する情報、及びＵＥのバッファに貯蔵されている送信データの量を含むことができる。
【００１５】
通信中である複数のＵＥからスケジューリング情報を受信したＮｏｄｅ Ｂは、ステップ２０６で、各ＵＥのデータ送信率をスケジューリングするために、上記複数のＵＥから受信されたＵＥ状態情報をモニタリングする。ステップ２０８で、Ｎｏｄｅ Ｂは、ＵＥに上りリンクパケットの送信を許容することに決定し、ＵＥにスケジューリング割当て（Scheduling Assignment）情報を送信する。上記スケジューリング割当て情報は、許容された最大データ送信率及び許容された送信タイミングを含む。
【００１６】
ＵＥは、ステップ２１０で、上記スケジューリング割当て情報を用いて上りリンクに送信されるＥ−ＤＣＨの送信形式（ＴＦ）を決定し、ステップ２１２で、Ｅ−ＤＣＨを介して上りリンク（ＵＬ）パケットデータを送信すると同時に、ステップ２１４で、上記ＴＦ情報、すなわち、トランスポートフォーマットリソースインジケータ（Transport Format Resource Indicator；ＴＦＲＩ）をＮｏｄｅ Ｂへ送信する。ステップ２１６で、Ｎｏｄｅ Ｂは、上記ＴＦ情報及び上記パケットデータにエラーがあるか否かを判断する。ステップ２１８で、Ｎｏｄｅ Ｂは、上記判断の結果、いずれか１つでもエラーが発生した場合に、ＡＣＫ／ＮＡＣＫチャンネルを介してＵＥへ否定応答（Non-Acknowledge；ＮＡＣＫ）を送信する。一方、上記ＴＦ情報及び上記パケットデータのすべてにエラーがない場合には、肯定応答（Acknowledge；ＡＣＫ）をＡＣＫ／ＮＡＣＫチャンネルを介してＵＥへ送信する。
【００１７】
ＡＣＫが送信される場合に、該当パケットデータの送信が完了され、従って、ＵＥは、新たなデータをＥ−ＤＣＨを介して送信する。しかしながら、ＮＡＣＫが送信される場合に、ＵＥは、同一のパケットデータをＥ−ＤＣＨを介して再送信する。
Ｅ−ＤＣＨは、送信チャンネルのパケット送信のために、専用チャンネル（Dedicated Channel；ＤＣＨ）をアップグレードしたチャンネルであるので、専用チャンネルの基本的な特性を有し、その特性のうちの１つがソフトハンドオーバーを支援するものである。上記ソフトハンドオーバーが支援されると、ソフトハンドオーバー領域に位置したＵＥは、活動集合（Active set）に含まれたすべてのＮｏｄｅ ＢにＥ−ＤＣＨを設定することができる。
【００１８】
図５は、従来のＥ−ＤＣＨのソフトハンドオーバーを支援する動作を示す図である。図５を参照すると、ＵＥ  ５０４は、自身の活動集合内にＮｏｄｅ Ｂ  ５０１、５０２、及び５０３を含む。上りリンク電力制御において、ＵＥ  ５０４は、Ｎｏｄｅ Ｂ＃１ ５０１から送信された送信電力制御命令（Transmit Power Control Command；ＴＰＣ）＃１ ５０６、Ｎｏｄｅ Ｂ＃２ ５０２から送信されたＴＰＣ＃２ ５０７、及びＮｏｄｅ Ｂ＃３ ５０３から送信されたＴＰＣ＃３ ５０８を結合して、１つの結合電力制御命令（Combined TPC）を生成し、上記結合されたＴＰＣに基づいて、Ｅ−ＤＣＨデータ５０５の上りリンク送信のための送信電力を決定する。従来のＴＰＣ結合方法によれば、ＴＰＣ５０６、５０７、及び５０８のうちのいずれか１つがダウン（DOWN）命令を示すと、ＵＥ  ５０４は、Ｅ−ＤＣＨ  ５０５の送信電力を所定値だけ減少させ、ＴＰＣ  ５０６、５０７、及び５０８のすべてがアップ（UP）命令を示すと、ＵＥ  ５０４は、Ｅ−ＤＣＨ  ５０５の送信電力を所定値だけ増加させる。このような方法を“ＯＲ−ｏｆ−ＤＯＷＮ方法”と称する。
【００１９】
ソフトハンドオーバー中であるＵＥ  ５０４は、次のような方式にてＨＡＲＱ動作を遂行する。Ｅ−ＤＣＨデータ５０５を送信した後に、ＵＥ  ５０４は、Ｎｏｄｅ Ｂ  ５０１、５０２、及び５０３からＡＣＫ／ＮＡＣＫ  ５１１、５１２、及び５１３をそれぞれ受信する。ＡＣＫ／ＮＡＣＫ  ５１１、５１２、及び５１３のうちのいずれか１つがＡＣＫ信号であれば、ＵＥ  ５０４は、現在のＥ−ＤＣＨデータ５０５のＨＡＲＱ動作、すなわち、再送信動作を終了する。しかしながら、ＡＣＫ／ＮＡＣＫ  ５１１、５１２、及び５１３のすべてがＮＡＣＫ信号であれば、ＵＥ  ５０４は、同一のＥ−ＤＣＨデータ５０５を再送信する。
すなわち、Ｎｏｄｅ Ｂ＃１ ５０１のみが、ＵＥ  ５０４が送信したＥ−ＤＣＨデータ５０５をエラーなしに受信し、他のＮｏｄｅ Ｂ#２ ５０２及びＮｏｄｅ Ｂ#３ ５０３が、ＵＥ  ５０４が送信したＥ−ＤＣＨデータ５０５を正常に受信できなかった場合に、Ｎｏｄｅ Ｂ  ５０１、５０２、５０３が接続されたＲＮＣ  ５１０は、ＵＥ  ５０４が送信したＥ−ＤＣＨデータ５０５に含まれた情報を正確に受信することができる。従って、上記活動集合に含まれたＮｏｄｅ Ｂ  ５０１、５０２、５０３のうちの１つのみがＥ−ＤＣＨデータ５０５の受信に成功すると、これ以上のＨＡＲＱ再送信は、不要である。
【００２０】
一方、ソフトハンドオーバー領域に属したＵＥは、活動集合に含まれた幾つかのＮｏｄｅ ＢからＥ−ＤＣＨに関連したスケジューリング割当て情報を同時に受信する。このとき、上記活動集合に含まれたＮｏｄｅ Ｂのうち、上記ＵＥをスケジューリングするための一番良いＮｏｄｅ Ｂが最適のスケジューリングＮｏｄｅ Ｂ（すなわち、serving Node B）として選択され、残りのＮｏｄｅ Ｂは、非最適のスケジューリングＮｏｄｅ Ｂ（すなわち、non-serving Node B）として選択される。上記非最適のスケジューリングＮｏｄｅ Ｂは、ＵＥの活動集合に含まれるが、最適のスケジューリングＮｏｄｅ Ｂとして選択されないＮｏｄｅ Ｂを意味する。上記最適のスケジューリングＮｏｄｅ Ｂは、上記非最適のスケジューリングＮｏｄｅ Ｂに比べて ソフトハンドオーバー領域に位置したＵＥをスケジューリングするにあたって、さらに大きい権限を有する。ＵＥは、上記最適のスケジューリングＮｏｄｅ Ｂからのスケジューリング割当て情報を上記非最適のスケジューリングＮｏｄｅ Ｂからのスケジューリング割当て情報と結合して、上りリンク方向に送信されるＥ−ＤＣＨのＴＦ（データレート、符号化率など）を決定する。
【００２１】
上記最適のスケジューリングＮｏｄｅ Ｂのスケジューリング方法は、ソフトハンドオーバー領域ではないＵＥをスケジューリングするのに使用される方法と同一の比率で使用されるが、非最適のスケジューリングＮｏｄｅ Ｂのスケジューリングは、上記活性集合に含まれた他のＮｏｄｅ Ｂに対する干渉を最小にするための消極的な方法にて遂行される。すなわち、非最適のスケジューリングＮｏｄｅ Ｂのスケジューリング割当て情報に比べて、上記最適のスケジューリングＮｏｄｅ Ｂのスケジューリング割当て情報は、ＵＥがＥ−ＤＣＨを決定するにおいて大きい要因になる。
【００２２】
しかしながら、ソフトハンドオーバー領域に属したＵＥは、最適のスケジューリングＮｏｄｅ Ｂのみによって上りリンク送信電力制御がなされるのではなく、非最適のスケジューリングＮｏｄｅ Ｂによっても送信電力制御がなされる。従って、最適のスケジューリングＮｏｄｅ Ｂに比べて、非最適のスケジューリングＮｏｄｅ Ｂが上りリンクチャンネル状況という点でさらに良い場合には、ＵＥは、非最適のスケジューリングＮｏｄｅ ＢのＴＰＣに従う可能性がある。上記のように、ＵＥの送信電力が非最適のスケジューリングＮｏｄｅ Ｂに基づいて電力制御がなされるため、上記ＵＥ状態情報は、最適のスケジューリングＮｏｄｅ Ｂで非常に大きいエラー確率で受信される可能性がある。この場合に、最適のスケジューリングＮｏｄｅ Ｂは、ＵＥ状態情報を把握し難い。このように、従来のＥ−ＤＣＨ技術では、最適のスケジューリングＮｏｄｅ Ｂが大きい権限を有するとしても、不正確なＵＥ状態情報を用いてスケジューリングを遂行するため、スケジューリング性能の劣化を引き起こす、という問題点があった。
【発明の開示】
【発明が解決しようとする課題】
【００２３】
上記背景に鑑みて、本発明の目的は、非同期ＷＣＤＭＡ通信システムにおいて、ソフトハンドオーバー領域に位置したＵＥの向上した上りリンク送信チャンネルのスケジューリングのためのＵＥ状態情報の新たなシグナリング方法及び装置を提供することにある。
本発明の他の目的は、ソフトハンドオーバー領域に位置したＵＥがＭＡＣ−ｅシグナリングを用いてＵＥ状態情報を送信する場合に、最適のスケジューリングＮｏｄｅ ＢがＵＥ状態情報を正確に受信することができる方法及び装置を提供することにある。
【課題を解決するための手段】
【００２４】
このような目的を達成するために、本発明の１つの特徴によれば、上りリンクパケットデータサービスを支援する移動通信システムにおいて、１つの最適スケジューリング基地局及び少なくとも１つの非最適スケジューリング基地局と通信する端末機が端末機の状態情報を送信する方法は、上記端末機の状態情報を含む送信チャンネルデータを生成するステップと、上記送信チャンネルデータを上記最適スケジューリング基地局及び上記少なくとも１つの非最適スケジューリング基地局へ送信するステップと、上記最適スケジューリング基地局から上記送信チャンネルデータに対する応答信号を受信するステップと、上記最適スケジューリング基地局から受信された応答信号が否定（ＮＡＣＫ）信号であれば、上記少なくとも１つの非最適スケジューリング基地局からの肯定（ＡＣＫ）あるいは否定信号の受信に関係なく、上記送信チャンネルデータを再送信するステップと、上記最適スケジューリング基地局から受信された応答信号が肯定信号であれば、上記送信チャンネルデータの再送信を終了するステップとを含むことを特徴とする。
【００２５】
本発明の他の特徴によれば、上りリンクパケットデータサービスを支援する移動通信システムにおいて、１つの最適スケジューリング基地局及び少なくとも１つの非最適スケジューリング基地局と通信する端末機が端末機の状態情報を送信する方法は、上記端末機の状態情報を含む送信チャンネルデータを生成するステップと、上記送信チャンネルデータを上記最適スケジューリング基地局及び上記少なくとも１つの非最適スケジューリング基地局へ送信するステップと、上記最適スケジューリング基地局及び上記少なくとも１つの非最適スケジューリング基地局から上記送信チャンネルデータに対する応答信号を受信するステップと、上記最適スケジューリング基地局から受信された応答信号が否定（ＮＡＣＫ）信号であり、上記少なくとも１つの非最適スケジューリング基地局から受信された応答信号が肯定（ＡＣＫ）信号であれば、上記端末機の状態情報及び新たなパケットデータを含む送信チャンネルデータを上記最適スケジューリング基地局及び上記少なくとも1つの非最適スケジューリング基地局へ送信するステップと、上記最適スケジューリング基地局から受信された応答信号が肯定信号であれば、上記送信チャンネルデータの再送信を終了するステップとを含むことを特徴とする。
【００２６】
本発明のまた他の特徴によれば、上りリンクパケットデータサービスを支援する移動通信システムにおいて、１つの最適スケジューリング基地局及び少なくとも１つの非最適スケジューリング基地局へ端末機の状態情報を送信する端末機装置は、上記端末機の状態情報を含む送信チャンネルデータを生成する生成器と、上記送信チャンネルデータを上記最適スケジューリング基地局及び上記少なくとも１つの非最適スケジューリング基地局へ送信する送信器と、上記最適スケジューリング基地局から上記送信チャンネルデータに対する応答信号を受信する受信器とを含み、上記送信器は、上記送信チャンネルデータが上記端末機の状態情報を含むと、上記少なくとも１つの非最適スケジューリング基地局から受信された応答信号を考慮せず、上記最適スケジューリング基地局から受信された応答信号に従って上記端末機の状態情報を選択的に再送信することを特徴とする。
【００２７】
本発明のさらなる他の特徴によれば、上りリンクパケットデータサービスを支援する移動通信システムにおいて、１つの最適スケジューリング基地局及び少なくとも１つの非最適スケジューリング基地局と通信する端末機が上りリンクパケットデータを送信する方法は、上記上りリンクパケットデータサービスのためのパケットデータを有する送信チャンネルデータの送信形式を示す第１の制御チャンネルデータ及び上記端末機の状態情報を含む第２の制御チャンネルデータを生成するステップと、上記最適スケジューリング基地局及び上記少なくとも１つの非最適スケジューリング基地局から受信された電力制御命令に従って、上記第１の制御チャンネルデータのための第１の送信電力を決定するステップと、上記第２の制御チャンネルデータのための所定の電力オフセット値を設定するステップと、上記第１の送信電力に上記電力オフセット値を付加して、上記第２の制御チャンネルデータのための第２の送信電力を決定するステップと、上記第１の制御チャンネルデータ及び上記第２の制御チャンネルデータに上記第１の送信電力及び上記第２の送信電力に対するチャンネル利得を適用した後に、多重化して送信するステップとを含むことを特徴とする。
【００２８】
本発明のもう１つの特徴によれば、上りリンクパケットデータサービスを支援する移動通信システムにおいて、上りリンクパケットデータを１つの最適スケジューリング基地局及び少なくとも１つの非最適スケジューリング基地局へ送信する端末機装置は、上記上りリンクパケットデータサービスのためのパケットデータを有する送信チャンネルデータの送信形式を示す第１の制御チャンネルデータを生成する第１の制御チャンネル生成器と、上記端末機の状態情報を含む第２の制御チャンネルデータを生成する第２の制御チャンネル生成器と、上記第１の制御チャンネルデータを第１の送信電力に対する第１の電力利得に乗じ、上記第２の制御チャンネルデータを上記第２の送信電力に対する第２の電力利得に乗じた後に、多重化して送信する多重化器とを含み、上記第２の送信電力は、上記第１の送信電力に上記第２の制御チャンネルデータのための所定の電力オフセットを付加して決定されることを特徴とする。
【発明の効果】
【００２９】
本発明は、ＷＣＤＭＡ通信システムにおいて、上りリンクパケット送信のためのスケジューリングを遂行する過程でソフトハンドオーバー領域に位置したＵＥを効率的にスケジューリングすることができる新たな方法を提示する。ソフトハンドオーバー領域に位置したＵＥは、さらに大きいスケジューリング権限を有する最適のスケジューリングＮｏｄｅ ＢにＵＥ状態情報をさらに正確にかつ信頼性高く報告し、これによって、スケジューリング性能を向上させ、全体システムの安定性を向上させることができる、という長所がある。
【発明を実施するための最良の形態】
【００３０】
以下、本発明の好適な一実施形態を添付図面を参照しつつ詳細に説明する。なお、図面中、同一の構成要素については、同一の参照符号を共通使用するものとする。下記の説明において、本発明の要旨のみを明瞭にする目的で、関連した公知の機能又は構成に関する具体的な説明は省略する。
【００３１】
本発明の実施形態は、ソフトハンドオーバー領域に位置したＵＥがＵＥ状態情報を最適のスケジューリングＮｏｄｅ Ｂへ効率的に送信するシグナリング方法及び装置を提供する。すなわち、ソフトハンドオーバー領域に位置したＵＥが、ダウン論理和（OR of DOWN）方式を使用して上りリンク送信電力制御を遂行することによって、ＵＥ状態情報を活動集合に含まれたＮｏｄｅ Ｂへ送信する場合に、ＵＥ状態情報は、最適のスケジューリングＮｏｄｅ Ｂへ正確に送信されることができる。
【００３２】
上記ＵＥ状態情報は、例えば、ＵＥのバッファに貯蔵されているデータ量を示すバッファ状態情報、ＵＥの上りリンクチャンネル状態を示す上りリンク送信電力情報、及びＵＥの使用可能な電力を示す電力マージン（power margin）情報のうちの少なくとも１つを含む。上記ＵＥ状態情報をＮｏｄｅ Ｂへ送信する方法は、物理チャンネルを用いる物理チャンネルシグナリング方法と、データとともに、ＭＡＣ−ｅレイヤーで生成されたパケットデータ単位（Protocol Data Unit；ＰＤＵ）のＭＡＣ−ｅヘッダーあるいはペイロードに上記ＵＥ状態情報を含んで、Ｅ−ＤＣＨを介して送信するＭＡＣ−ｅシグナリング方法とに分けられる。
【００３３】
図６は、本発明の第１の実施形態によるＭＡＣ−ｅＰＤＵの構成を示す図である。図６を参照すると、少なくとも１つのＭＡＣ−ｅＳＤＵ（Service Data Unit）６０２は、ＭＡＣ−ｅＰＤＵ  ６０３のペイロードを示し、上記少なくとも１つのＭＡＣ−ｅＳＤＵ  ６０２にＭＡＣ−ｅレイヤーで挿入された情報を含むＭＡＣ−ｅヘッダー６０１を追加してＭＡＣ−ｅＰＤＵ  ６０３を生成する。ＭＡＣ−ｅＰＤＵ  ６０３は、Ｅ−ＤＣＨデータと呼ばれる。ＭＡＣ−ｅシグナリング過程において、ＵＥ状態情報は、ＭＡＣ−ｅヘッダー６０１又はＭＡＣ−ｅＳＤＵ  ６０２に含まれる。
【００３４】
第１の実施形態は、ＵＥ状態情報をＮｏｄｅ Ｂへ送信する過程で、ソフトハンドオーバー領域に位置したＵＥが最適のスケジューリングＮｏｄｅ ＢにＵＥ状態情報をさらに正確に送信するためのＭＡＣ−ｅシグナリング方法を提案する。
【００３５】
ＵＥは、ＵＥ状態情報をＭＡＣ−ｅシグナリング方法のようなシグナリング方法を使用してＮｏｄｅ Ｂへ送信する。上記ＭＡＣ−ｅシグナリング方法において、ＵＥ状態情報は、Ｅ−ＤＣＨデータに含まれて送信される。送信パケットデータが存在しない場合に、上記Ｅ−ＤＣＨデータは、上記ＵＥ状態情報のみを含むことができる。このとき、上記Ｅ−ＤＣＨがハイブリッド自動再送要求（Hybrid Automatic Retransmission Request；ＨＡＲＱ）を支援するので、ＵＥ状態情報を含むＥ−ＤＣＨデータもＨＡＲＱ動作を伴う。また、ソフトハンドオーバー領域に位置したＵＥの活動集合に含まれたＮｏｄｅ Ｂは、ＨＡＲＱ動作を独立して遂行し、上記Ｎｏｄｅ Ｂの各々は、ＵＥ状態情報を含むＥ−ＤＣＨデータ（以下、“ＭＡＣ−ｅシグナリングＥ−ＤＣＨデータ”と称する）のようなシグナリング情報のエラーを検査し、上記検査の結果、ＡＣＫ／ＮＡＣＫ信号を送信する。
【００３６】
第１の実施形態において、ＵＥ状態情報を有するＭＡＣ−ｅシグナリングＥ−ＤＣＨデータのＨＡＲＱ動作で、ＵＥは、ＡＣＫ／ＮＡＣＫを判断するための基準として、最適スケジューリングＮｏｄｅ ＢのＡＣＫ／ＮＡＣＫ信号のみを使用する。すなわち、非最適スケジューリングＮｏｄｅ Ｂが上記ＵＥ状態情報を有するＭＡＣ−ｅシグナリングＥ−ＤＣＨデータに対する応答としてＡＣＫを送信するとしても、一旦、最適のスケジューリングＮｏｄｅ ＢがＮＡＣＫを送信すると、ＵＥは、上記ＵＥ状態情報を有するＭＡＣ−ｅシグナリングＥ−ＤＣＨデータに対する再送信を遂行する。このとき、ＨＡＲＱに従う再送信動作は、あらかじめ決定された最大再送信回数内で遂行される。
【００３７】
最適のスケジューリングＮｏｄｅ ＢがＡＣＫ信号を送信するときまで、上記ＵＥ状態情報を有するＭＡＣ−ｅシグナリングＥ−ＤＣＨデータに対する再送信動作を遂行する動作について、図７を用いて説明する。
図７は、本発明の第１の実施形態によるＵＥ状態情報を有するＭＡＣ−ｅシグナリングＥ−ＤＣＨデータを送信する送信器の構成を示す図である。
【００３８】
図７を参照すると、ＵＥ状態情報７０２を送信する必要がある場合に、パケットデータ７０１及びＵＥ状態情報７０２は、多重化器（ＭＵＸ）７０３で多重化されて、Ｅ−ＤＣＨデータ７０４を構成する。このとき、送信するパケットデータ７０１が存在しなければ、多重化器７０３は、ＵＥ状態情報７０２のみでＥ−ＤＣＨデータ７０４を構成する。ＵＥ状態情報７０２が現在の送信時間区間（Transmission Time Interval；ＴＴＩ）で送信されるか否かは、ＵＥ状態報告制御器７２５によって判断される。ＵＥ状態報告制御器７２５は、制御信号７２６を介して多重化器７０３を制御して、ＵＥ状態情報７０２の送信が必要である場合には、ＵＥ状態情報７０２及びパケットデータ７０１を多重化し、そうでなければ、パケットデータ７０１のみを出力する。送信されるパケットデータ７０１が存在しない場合にも、Ｅ−ＤＣＨデータ７０４は、生成されない。すなわち、ＵＥ状態報告制御器７２５がＵＥ状態情報７０２を送信するか否かを判断する方法には、周期的な報告に従う判断方法及び特定のイベント（Event-triggered）に従う判断方法がある。
【００３９】
多重化器７０３から出力されたＥ−ＤＣＨデータ７０４は、ＣＲＣ（Cyclic Redundancy Codes）追加器７０５に入力され、ＣＲＣ追加器７０５は、ＣＲＣをＥ−ＤＣＨデータ７０４に追加し、上記ＣＲＣが追加されたＥ−ＤＣＨデータ７０４を符号化ブロック区分器７０６に出力する。符号化ブロック区分器７０６は、上記ＣＲＣが追加されたＥ−ＤＣＨデータ７０４をチャンネル符号化器７０７の入力情報に適した大きさの符号化ブロックに区分し、上記符号化ブロックをチャンネル符号化器７０７に出力する。チャンネル符号化器７０７は、上記符号化ブロックをチャンネル符号化し、上記チャンネル符号化された情報をＨＡＲＱ及びレートマッチング器７０８へ出力する。ＨＡＲＱ及びレートマッチング器７０８は、上記チャンネル符号化された情報に対するレートマッチングを遂行し、上記レートマッチングされた情報をインターリービング及び物理チャンネルマッピング器７０９へ出力する。インターリービング及び物理チャンネルマッピング器７０９は、上記レートマッチングされた情報をインターリービングした後に、上記インターリービングされた情報を向上した専用物理データチャンネル（Enhanced Dedicated Physical Data Channel；Ｅ−ＤＰＤＣＨ）のための物理チャンネルデータ７３０にマッピングする。Ｅ−ＤＰＤＣＨデータ７３０は、専用物理データチャンネル（Dedicated Physical Data Channel；ＤＰＤＣＨ）データ７１２、専用物理制御チャンネル（Dedicated Physical Control Channel；ＤＰＣＣＨ）データ７１１、及び上記Ｅ−ＤＣＨのＴＦに関する情報を運搬するＥ−ＤＰＣＣＨデータ７１３と共に多重化器７１０で多重化された後に、Ｎｏｄｅ Ｂへ送信される。
【００４０】
ここで、上記ＨＡＲＱ及びレートマッチング器７０８は、最適のスケジューリングＮｏｄｅ Ｂ及び非最適のスケジューリングＮｏｄｅ Ｂから図示していない受信器によって受信された応答信号に従って、Ｅ−ＤＣＨデータ７０４を再送信するか否かを判断する。特に、ＵＥ状態情報を有するＭＡＣ−ｅシグナリングＥ−ＤＣＨデータは、許容された最大再送信回数内で、最適スケジューリングＮｏｄｅ ＢがＡＣＫ信号を送信するときまで再送信される。この場合に、ソフトハンドオーバーによるマクロダイバーシティ利得（Macro Diversity Gain）を得ることができない。しかしながら、上記マクロダイバーシティ利得を考慮して電力制御を遂行するので、意図的に放棄されたマクロダイバーシティ利得を補償するための付加的な方法を必要とする。
【００４１】
一番目の方法において、ＵＥ状態情報を有するＭＡＣ−ｅシグナリングＥ−ＤＣＨデータは、ＨＡＲＱの最大再送信回数を使用するという点で一般のＥ−ＤＣＨデータよりも大きい。ここで、一般のＥ−ＤＣＨデータは、ＭＡＣ−ｅシグナリング情報を含まないＥ−ＤＣＨデータを意味する。上記ＨＡＲＱの最大再送信回数が増加すると、高い送信利得を得ることができるので、意図的に放棄されたマクロダイバーシティ利得を補償することができる。
【００４２】
制御信号７２３は、上記ＨＡＲＱの最大再送信回数を制御する方法を示す。パラメータ制御器７２２は、ＵＥ状態報告制御器７２５から提供された制御信号７２８及びソフトハンドオーバー（Soft Handover；ＳＨＯ）指示信号７２１に従って、ＨＡＲＱ及びレートマッチング器７０８に最大再送信回数を指示する制御信号７２３を提供する。ＨＡＲＱ及びレートマッチング器７０８は、ソフトハンドオーバー状態でＵＥ状態情報を有するＭＡＣ−ｅシグナリングＥ−ＤＣＨデータを送信する場合のみに、ＨＡＲＱの最大再送信回数を所定の値だけ増加させ、そうでなければ、既存のＨＡＲＱの最大再送信回数値を使用する。ＨＡＲＱ及びレートマッチング器７０８は、ＮＡＣＫを受信する度に、パケットデータを再送信し、上記再送信回数が制御信号７２３の値に到達すると、上記パケットデータを廃棄する。
【００４３】
二番目の方法において、ＵＥ状態情報を有するＭＡＣ−ｅシグナリングＥ−ＤＣＨデータは、チャンネル利得を使用するという点で、一般のＥ−ＤＣＨデータよりも大きい。上記物理チャンネル利得が増加すると、高い送信利得を得ることができるので、意図的に放棄されたマクロダイバーシティ利得を補償することができる。
【００４４】
制御信号７２４は、上記物理チャンネル利得を制御する方法を示す。パラメータ制御器７２２は、ＵＥ状態報告制御器７２５から提供された制御信号７２８及びソフトハンドオーバー指示信号７２１に従って、物理チャンネル利得を指示する制御信号７２４をインターリービング及び物理チャンネルマッピング器７０９へ提供する。インターリービング及び物理チャンネルマッピング器７０９は、ソフトハンドオーバー状態で、ＵＥ状態情報を有するＭＡＣ−ｅシグナリングＥ−ＤＣＨデータを送信する場合のみに、Ｅ−ＤＰＤＣＨデータ７３０のチャンネル利得を所定の値だけ増加させ、そうでなければ、既存の変化利得値を使用する。
【００４５】
ＵＥ状態情報を有するＭＡＣ−ｅシグナリングＥ−ＤＣＨデータに対して、意図的に放棄されたマクロダイバーシティ利得を補償するための２種類の方法について説明した。上記２つの方法が個別的に使用可能であるが、図７では、共に使用する場合の構造を示す。上述した最大再送信回数の増加量及びチャンネル利得値の増加量として、あらかじめ決定された値を使用するか、あるいは、Ｎｏｄｅ Ｂ又はＲＮＣでＮｏｄｅ Ｂの状態を分析して決定した後に、ＵＥ及び最適のスケジューリングＮｏｄｅ Ｂに報告された値を使用する。
【００４６】
ＵＥ状態報告制御器７２５は、周期的な報告に従う方法及び特定のイベントに従う方法を使用して、ＵＥ状態情報７０２を送信するか否かを判断する。上記特定のイベント方法に基づいて、ＵＥ状態情報が送信される場合に、Ｎｏｄｅ Ｂ受信器は、受信されたＥ−ＤＣＨデータがＵＥ状態情報を有するＭＡＣ−ｅシグナリングＥ−ＤＣＨデータであるか、又はシグナリング情報を含まない一般のＥ−ＤＣＨデータであるかを区分し難いこともある。従って、ＵＥ状態情報７０２を有するＭＡＣ−ｅシグナリングＥ−ＤＣＨデータが送信される場合に、ＵＥ状態報告制御器７２５は、Ｅ−ＤＣＨデータのＴＦを規定するＥ−ＤＰＣＣＨデータ７１３にＭＡＣ−ｅシグナリングＥ−ＤＣＨデータを指示する指示情報を含め、特定のイベント方法に基づいて、ＭＡＣ−ｅシグナリングＥ−ＤＣＨデータが送信されることをＮｏｄｅ Ｂに報告する。ＵＥ状態報告制御器７２５は、制御信号７２７を介して、Ｅ−ＤＰＣＣＨデータ７１３がＭＡＣ−ｅシグナリングＥ−ＤＣＨデータが存在するか否かを示すＴＦを含むようにするか、又は、ＵＥ状態情報指示子を含むようにする。Ｎｏｄｅ Ｂ受信器は、Ｅ−ＤＰＣＣＨデータ７１３を受信することによって、Ｅ−ＤＣＨデータのタイプ、すなわち、Ｅ−ＤＣＨデータがＭＡＣ−ｅシグナリングＥ−ＤＣＨデータであるか否かを正確に判断することができる。
【００４７】
図８は、本発明の第１の実施形態によるＵＥ状態情報を有するＭＡＣ−ｅシグナリングＥ−ＤＣＨデータを受信するＮｏｄｅ Ｂ受信器の構成を示す図である。図８を参照すると、ＵＥから受信された信号８０１が逆多重化器（ＤＥＭＵＸ）８０２に印加される。逆多重化器８０２は、上記受信された信号８０１をＥ−ＤＰＣＣＨデータ８１２、ＤＰＣＣＨデータ８１３、ＤＰＤＣＨデータ８１４、及びＥ−ＤＣＨデータを有するＥ−ＤＰＤＣＨデータ８３０に逆多重化する。まず、Ｎｏｄｅ Ｂは、上記Ｅ−ＤＣＨデータがＵＥ状態情報を有するＭＡＣ−ｅシグナリングＥ−ＤＣＨデータであるか否かを判断しなければならない。上記ＵＥ状態情報が周期的に送信されると、ＵＥ状態報告制御器８２０は、現在の周期を計算することによってＵＥ状態情報の送信を感知することができる。一方、ＵＥ状態情報が特定のイベントに基づいて送信されると、ＵＥ状態報告制御器８２０は、Ｅ−ＤＰＣＣＨデータ８１２に含まれたＴＦ又はＵＥ状態情報指示子８２１を介したＵＥ状態情報の送信を感知することができる。ＵＥ状態情報指示子８２１は、ＵＥ状態報告制御器８２０に入力され、ＵＥ状態報告制御器８２０は、上記Ｅ−ＤＣＨデータがＵＥ状態情報を有するＭＡＣ−ｅシグナリングＥ−ＤＣＨデータであるか否かを示すために、ＵＥ状態情報指示子８２１を使用する。
【００４８】
上記受信されたＥ−ＤＣＨデータがＵＥ状態情報を有するＭＡＣ−ｅシグナリングＥ−ＤＣＨデータであると判断されると、ＵＥ状態報告制御器８２０は、制御信号８２３を用いて逆多重化器８０９を制御して、Ｅ−ＤＣＨデータがＵＥ状態情報８１０及びパケットデータ８１１に逆多重化されるようにする。そうでなければ、ＵＥ状態報告制御器８２０は、制御信号８２３を用いて逆多重化器８０９を制御して、パケットデータ８１１のみが出力されるようにする。
【００４９】
ＵＥ状態情報を有するＭＡＣ−ｅシグナリングＥ−ＤＣＨデータはＨＡＲＱの最大再送信回数及びＥ−ＤＰＤＣＨチャンネル利得のうちの一方又は両方で一般のＥ−ＤＣＨデータとは異なるので、受信器もこれを支援しなければならない。ＵＥ状態報告制御器８２０は、制御信号８２２を用いて、上記受信されたＥ−ＤＣＨデータがＵＥ状態情報を有するＭＡＣ−ｅシグナリングＥ−ＤＣＨデータであるか否かをパラメータ制御器８２５へ通知する。パラメータ制御器８２５は、制御信号８２２及びソフトハンドオーバー指示信号８２４に従って、制御信号８２６及び８２７を生成する。制御信号８２６は、ＨＡＲＱ及びレートデマッチング器８０４に入力され、ＨＡＲＱ及びレートデマッチング器８０４は、制御信号８２６に従って、ＨＡＲＱの最大再送信回数を指定する。制御信号８２７は、デインターリーバ及び物理チャンネルデマッピング器８０３に入力され、デインターリーバ及び物理チャンネルデマッピング器８０３は、制御信号８２７に従って、Ｅ−ＤＰＤＣＨデータ８３０のチャンネル利得値を制御する。
【００５０】
Ｅ−ＤＰＤＣＨデータ８３０は、デインターリーバ及び物理チャンネルデマッピング器８０３に入力され、デインターリーバ及び物理チャンネルデマッピング器８０３は、Ｅ−ＤＰＤＣＨデータ８３０に対する物理チャンネルデマッピング及びデインターリービングを遂行した後に、ＨＡＲＱ及びレートデマッチング器８０４へ出力する。ＨＡＲＱ及びレートデマッチング器８０４は、上記入力情報に対するＨＡＲＱ処理及びレートデマッチングを遂行して、チャンネル復号化器８０５へ出力する。ＨＡＲＱ及びレートデマッチング器８０４は、上記デインターリービングされたデータが再送信されたデータであるか否かに従って、上記デインターリービングされたデータをバイパスするか、あるいは、上記デインターリービングされたデータを前に受信されたデータと結合した後に、上記データのレートデマッチングを遂行する。チャンネル復号化器８０５は、ＨＡＲＱ及びレートマッチング器８０４によりレートデマッチングされた情報のチャンネル復号化を遂行して、符号化ブロック連結器８０６へ出力する。符号化ブロック連結器８０６は、上記チャンネル復号化された情報を連結してＣＲＣ検査器８０７へ出力する。ＣＲＣ検査器８０７は、上記連結された情報に対してＣＲＣ検査を遂行し、上記ＣＲＣ検査された情報をＥ−ＤＣＨデータ８０８として出力する。Ｅ−ＤＣＨデータ８０８は、逆多重化器８０９によってＵＥ状態情報８１０及びパケットデータ８１１に逆多重化される。
【００５１】
上記ＵＥ状態情報を有するＭＡＣ−ｅシグナリングＥ−ＤＣＨデータが周期的に送信されない場合に、すなわち、イベント発生に基づいてＵＥ状態情報を送信する必要がある場合に、Ｅ−ＤＰＣＣＨデータ８１２は、上記ＭＡＣ−ｅシグナリングＥ−ＤＣＨデータが送信されるか否かを示すＵＥ状態情報指示子を含む。このとき、各Ｎｏｄｅ Ｂは、ソフトハンドオーバー過程及び最適／非最適のスケジューリングＮｏｄｅ Ｂ設定過程を介して、自身が最適のスケジューリングＮｏｄｅ Ｂであるか、又は非最適のスケジューリングＮｏｄｅ Ｂであるかを確認することができ、上記ＭＡＣ−ｅシグナリングＥ−ＤＣＨデータが送信されるか否かを示すＵＥ状態情報指示子を介して、ＭＡＣ−ｅシグナリングＥ−ＤＣＨデータが存在するか否かを把握することができる。
【００５２】
ソフトハンドオーバー領域に位置したＵＥは、ＵＥ状態情報を有するＭＡＣ−ｅシグナリングＥ−ＤＣＨデータを送信する過程で、最適のスケジューリングＮｏｄｅ ＢからのＡＣＫ／ＮＡＣＫ信号のみを有効なＡＣＫ／ＮＡＣＫ信号として判断し、非最適のスケジューリングＮｏｄｅ ＢからのＡＣＫ／ＮＡＣＫ信号を無視する。従って、非最適のスケジューリングＮｏｄｅ Ｂは、ソフトハンドオーバー領域に位置したＵＥからＵＥ状態情報のみを有するＭＡＣ−ｅシグナリングＥ−ＤＣＨデータを受信した場合には、ＡＣＫ／ＮＡＣＫ信号を送信する必要がない。よって、非最適のスケジューリングＮｏｄｅ Ｂは、ＡＣＫ／ＮＡＣＫ信号の送信に必要な送信電力だけ下りリンク送信電力を節約することができる。
【００５３】
上述したように、ＭＡＣ−ｅシグナリングＥ−ＤＣＨデータの送信のために設定された最大再送信回数は、一般のＥ−ＤＣＨデータの送信のために設定された最大再送信回数より大きいか又は同一である。しかしながら、場合によって、ＭＡＣ−ｅシグナリングＥ−ＤＣＨデータは、上記再設定された最大再送信回数内で、最適のスケジューリングＮｏｄｅ Ｂで成功的に受信されることができない。このような場合に、ＵＥは、次のＥ−ＤＣＨデータを送信する間、上記次のＥ−ＤＣＨデータに上記ＵＥ状態情報をさらに含ませる。すなわち、現在の再送信回数が上記再設定された最大再送信回数に到達するまで、ＭＡＣ−ｅシグナリングＥ−ＤＣＨデータに対するＡＣＫ信号が最適のスケジューリングＮｏｄｅ Ｂから受信されなければ、ＵＥは、パケットデータの再送信を終了し、次のＴＴＩで、新たなパケットデータ及びＵＥ状態情報を含むＭＡＣ−ｅシグナリングＥ−ＤＣＨデータを送信する。上記次のＭＡＣ−ｅシグナリングＥ−ＤＣＨデータを送信した後に、ＵＥは、同様に、最適のスケジューリングＮｏｄｅ ＢからのＡＣＫ／ＮＡＣＫ信号のみを考慮する。
【００５４】
図９は、本発明の第１の実施形態によるＵＥの動作を示すフローチャートである。図９を参照すると、ステップ９０２で、ＵＥは、送信チャンネルデータ、特に、Ｅ−ＤＣＨデータを生成し、ステップ９０４で、上記Ｅ−ＤＣＨデータを他の送信チャンネルデータと多重化して送信する。ステップ９０２で生成された上記Ｅ−ＤＣＨデータは、周期的又は特定のイベントに基づいて、ＵＥ状態情報を含むことができる。ステップ９０６で、ＵＥは、上記Ｅ−ＤＣＨデータがＵＥ状態情報を含むか否かを確認する。上記Ｅ−ＤＣＨデータがＵＥ状態情報を含まない一般のＥ−ＤＣＨデータであれば、ステップ９０８で、ＵＥは、上記Ｅ−ＤＣＨデータに応じて、いずれか１つのＮｏｄｅ ＢからＡＣＫ信号が受信されたか否かを判断する。上記ＡＣＫ信号が最適のスケジューリングＮｏｄｅ Ｂ及び非最適のスケジューリングＮｏｄｅ Ｂのうちのいずれか１つから受信されると、ＵＥは、新たなＥ−ＤＣＨデータを送信するためにステップ９０２へ戻る。
【００５５】
一方、すべてのＮｏｄｅ ＢからＮＡＣＫ信号が受信されると、ステップ９１０で、ＵＥは、上記Ｅ−ＤＣＨデータの再送信回数が第１の最大再送信回数に到達したか否かを確認する。上記Ｅ−ＤＣＨデータの再送信回数が上記第１の最大再送信回数に到達しなかった場合に、ＵＥは、上記Ｅ−ＤＣＨデータを再送信するために、ステップ９０４へ戻る。しかしながら、上記再送信回数が上記第１の最大再送信回数に到達した場合に、ＵＥは、上記Ｅ−ＤＣＨデータの送信を放棄し、新たなＥ−ＤＣＨデータを送信するためにステップ９０２へ戻る。
【００５６】
しかしながら、ステップ９０６で、上記Ｅ−ＤＣＨデータがＵＥ状態情報を有するＭＡＣ−ｅシグナリングＥ−ＤＣＨデータであると判断されると、ステップ９１２で、ＵＥは、非最適のスケジューリングＮｏｄｅ Ｂからの応答信号を考慮せず、最適のスケジューリングＮｏｄｅ ＢからＡＣＫ信号が受信されるか否かを確認する。最適のスケジューリングＮｏｄｅ ＢからＡＣＫ信号が受信されると、ＵＥは、新たなＥ−ＤＣＨデータを送信するためにステップ９０２へ戻る。
【００５７】
一方、最適のスケジューリングＮｏｄｅ ＢからＮＡＣＫ信号が受信されると、ステップ９１４で、ＵＥは、上記ＭＡＣ−ｅシグナリングＥ−ＤＣＨデータの再送信回数が上記第１の最大再送信回数よりも大きく設定される第２の最大再送信回数に到達したか否かを確認する。上記ＭＡＣ−ｅシグナリングＥ−ＤＣＨデータの再送信回数が上記第２の最大再送信回数に到達していない場合には、ＵＥは、上記ＭＡＣ−ｅシグナリングＥ−ＤＣＨデータを再送信するために、ステップ９０４へ戻る。しかしながら、上記ＭＡＣ−ｅシグナリングＥ−ＤＣＨデータの再送信回数が上記第２の最大再送信回数に到達した場合には、ＵＥは、上記ＭＡＣ−ｅシグナリングＥ−ＤＣＨデータの送信を放棄し、新たなＥ−ＤＣＨデータを送信するために、ステップ９０２へ戻る。
【００５８】
本発明の第２の実施形態は、ソフトハンドオーバー領域に位置したＵＥが物理制御チャンネルを介してＵＥ状態情報をシグナリングする方法を提案する。ＵＥは、Ｅ−ＤＣＨに関連した２個の専用物理チャンネル、すなわち、Ｅ−ＤＰＣＣＨ１及びＥ−ＤＰＣＣＨ２を使用することができる。Ｅ−ＤＰＣＣＨ１は、送信されるＥ−ＤＣＨデータのＴＦを規定し、Ｅ−ＤＰＣＣＨ２は、Ｅ−ＤＣＨデータとは独立して上記ＵＥ状態情報を運搬する。
【００５９】
以下には、Ｅ−ＤＰＣＣＨ１及びＥ−ＤＰＣＣＨ２を使用してデータを送信する場合を例に挙げて説明する。しかしながら、Ｅ−ＤＣＨデータのＴＦを規定する情報及びＵＥ状態情報の両方は、Ｅ−ＤＰＤＣＨを介して送信されてもよく、Ｅ−ＤＰＣＣＨを介して送信されてもよい。従って、本発明の第２の実施形態は、物理チャンネルを介してＵＥ状態情報をシグナリングするすべての場合に適用可能である。
【００６０】
幾つかのＮｏｄｅ Ｂから受信された送信電力制御命令（ＴＰＣ）をダウン論理和（OR of DOWN）方法を使用して結合することによって、ソフトハンドオーバー領域で電力制御を遂行する場合に、Ｅ−ＤＰＣＣＨ１又はＥ−ＤＰＣＣＨ２の送信電力が不十分なことがあり、その結果、最適のスケジューリングＮｏｄｅ Ｂは、上記ＵＥ状態情報を正確に受信することができない。従って、第２の実施形態は、Ｅ−ＤＰＣＣＨ２の送信電力の欠如を補償する方法を提案する。
【００６１】
ソフトハンドオーバー領域に位置したＵＥは、知られている電力制御方法でＥ−ＤＰＣＣＨ１の電力に電力オフセット値を付加することによって決定された送信電力を使用してＥ−ＤＰＣＣＨ２を送信する。すなわち、Ｅ−ＤＰＣＣＨ２の送信電力は、Ｅ−ＤＰＣＣＨ１の送信電力に比べて、上記電力オフセット値だけ大きい。
【００６２】
ＵＥは、ソフトハンドオーバー領域へ進入すると、Ｅ−ＤＰＣＣＨ１の送信電力に上記電力オフセット値を付加することによって、Ｅ−ＤＰＣＣＨ２の送信電力を決定する。上記電力オフセット値としては、所定の値を使用するか、あるいは、Ｎｏｄｅ Ｂ又はＲＮＣが決定してＵＥ及びＮｏｄｅ Ｂへ報告した値を使用する。
【００６３】
他の場合に、一定の範囲内で適応的に決定された電力オフセット値が使用される。すなわち、ＵＥは、電力オフセット値の限度値を決定し、最適のスケジューリングＮｏｄｅ Ｂが提供したＴＰＣとダウン論理和方法により決定された結合ＴＰＣとの差異を使用して、上記限度値以内で上記電力オフセット値を決定する。最適のスケジューリングＮｏｄｅ ＢからのＴＰＣと結合ＴＰＣとの間に差異があれば、ＵＥは、以前のスロットで使用された値からＥ−ＤＰＣＣＨ２の電力オフセット値、例えば、２ｄＢだけ増加させ、それら間に差異がなければ、以前のスロットで使用された電力オフセット値をそのまま使用する。
【００６４】
また、ＵＥは、最適のスケジューリングＮｏｄｅ ＢのＴＰＣがアップ命令であり、結合ＴＰＣがダウン命令である場合に、上記電力オフセット値を増加させる。同様に、上記電力オフセット値は、決定された一定の限度値を超過することができない。上記電力オフセット値が上記限度値に到達すると、最適のスケジューリングＮｏｄｅ ＢのＴＰＣがアップ命令であり、結合ＴＰＣがダウン命令であるとしても、ＵＥは、上記電力オフセット値を上記限度値に保持する。このとき、最適のスケジューリングＮｏｄｅ ＢのＴＰＣがダウン命令を意味すると、上記電力オフセット値は、さらに０ｄＢに初期化される。
【００６５】
図１０は、本発明の第２の実施形態によるＵＥ送信器の構成を示す図である。図１０を参照すると、ＵＥ状態情報１００５は、Ｅ−ＤＰＣＣＨ２データ１０１０から構成される。Ｅ−ＤＣＨデータのＴＦを規定するＥ−ＤＰＣＣＨ１データ１０１５は、Ｅ−ＤＣＨデータの送信ブロック形式を示すＴＦＲＩ  １００６、Ｅ−ＤＣＨデータを再送信するか否かを示すＨＡＲＱ関連情報１００７、及び他の情報１００８を多重化器１００９で多重化することによって生成される。Ｅ−ＤＰＣＣＨ１データ１０１５及びＥ−ＤＰＣＣＨ２データ１０１０は、ＤＰＤＣＨデータ１０１３、ＤＰＣＣＨデータ１０１２、ＨＳ−ＤＰＣＣＨ（ＤＰＣＣＨ for ＨＳＤＰＡ（High Speed Data Packet Access））データ１０１１、及びＥ−ＤＣＨデータを含むＥ−ＤＰＤＣＨデータ１０１４と共に、該当チャンネル利得と乗じられた後に、多重化及びチャンネル利得設定ブロック１０１６で時間多重化又はコード多重化される。ここで、多重化及びチャンネル利得設定ブロック１０１６は、Ｅ−ＤＰＣＣＨ１データ１０１５及びＥ−ＤＰＣＣＨ２データ１０１０のみを時間多重化し、他のチャンネルデータ１０１１から１０１４をコード多重化する。ここで、Ｅ−ＤＰＣＣＨ２データ１０１０のチャンネル利得は、Ｅ−ＤＰＣＣＨ１データ１０１５のチャンネル利得に所定の電力オフセット値を付加することによって決定される。上記多重化されたデータは、送信信号１０１７に載せて送信される。
【００６６】
多重化及びチャンネル利得設定ブロック１０１６は、ＳＨＯ指示信号１０００に基づいて、ＳＨＯ制御器１００１が生成した制御信号１００２に従って制御される。すなわち、ＳＨＯ指示信号１０００がＳＨＯ領域であることを指示すると、ＳＨＯ制御器１００１は、制御信号１００２を使用して、多重化及びチャンネル利得設定ブロック１０１６にＥ−ＤＰＣＣＨ２データ１０１０の電力オフセット値を設定する。上述したように、上記電力オフセット値は、あらかじめ決定された値、Ｎｏｄｅ Ｂによって与えられた値、又は、適応的に変化した値になってもよい。
【００６７】
図１１は、本発明の第２の実施形態によるＮｏｄｅ Ｂ受信器の構成を示す図である。図１１を参照すると、Ｎｏｄｅ Ｂ受信器は、ＵＥから受信された信号１１１７を逆多重化器１１１６でそれぞれのチャンネルデータに逆多重化する。逆多重化器１１１６は、ＨＳ−ＤＰＣＣＨデータ１１１１、ＤＰＣＣＨデータ１１１２、ＤＰＤＣＨデータ１１１３、Ｅ−ＤＣＨデータを有するＥ−ＤＰＤＣＨデータ１１１４、Ｅ−ＤＰＣＣＨ１データ１１１５、及びＥ−ＤＰＣＣＨ２データ１１１０を出力する。Ｅ−ＤＰＣＣＨ２データ１１１０を受信する過程において、干渉除去（Interference cancellation）及び受信電力の測定のためには、逆多重化器１１１６が図１０のＵＥ送信器で設定した送信電力オフセット値を必要とする。Ｅ−ＤＰＣＣＨ２データ１１１０がソフトハンドオーバー領域でのみ受信されるので、ＳＨＯ制御器１１０１は、ＳＨＯ指示信号１１００を用いて、ＵＥのソフトハンドオーバー状況を認知し、制御信号１１０２を用いて、上記ソフトハンドオーバー状況を逆多重化器１１１６へ通知する。制御信号１１０２がソフトハンドオーバー領域であることを示す場合に、逆多重化器１１１６は、上記電力オフセット値を用いて、Ｅ−ＤＰＣＣＨ２データ１１１０の逆多重化を遂行する。上記電力オフセット値は、あらかじめ決定された値、あるいは、Ｎｏｄｅ Ｂ又はＲＮＣで決定した値になってもよい。
逆多重化器１１０９は、Ｅ−ＤＰＣＣＨ１データ１１１５を逆多重化して、ＴＦＲＩ  １１０６、ＨＡＲＱ関連情報１１０７、及び他の情報１１０８を抽出する。また、Ｎｏｄｅ Ｂ受信器は、Ｅ−ＤＰＣＣＨ２データ１１１０を受信することによって、ＵＥ状態情報１１０５を確認し、ＵＥ状態情報１１０５に従って、ＵＥのデータ送信率をスケジューリングする。
【００６８】
第３の実施形態において、ソフトハンドオーバー領域に位置したＵＥがＥ−ＤＰＣＣＨ２を用いて、物理チャンネルシグナリングを有するＵＥ状態情報を送信する場合に、上記ＵＥ状態情報を含むＥ−ＤＰＣＣＨ２データを繰り返し送信する。第３の実施形態において、ＵＥは、２つの専用物理制御チャンネルＥ−ＤＰＣＣＨ１及びＥ−ＤＰＣＣＨ２を使用することができる。Ｅ−ＤＰＣＣＨ１は、送信されるＥ−ＤＣＨデータのＴＦを規定し、Ｅ−ＤＰＣＣＨ２は、上記Ｅ−ＤＣＨデータとは独立して上記ＵＥ状態情報を運搬する。
【００６９】
以下、Ｅ−ＤＰＣＣＨ１及びＥ−ＤＰＣＣＨ２を使用してデータを送信する場合を例に挙げて説明する。Ｅ−ＤＣＨデータのＴＦを規定する情報及びＵＥ状態情報のすべては、Ｅ−ＤＰＤＣＨを介して送信されてもよく、Ｅ−ＤＰＣＣＨを介して送信されてもよい。従って、本発明の第３の実施形態は、物理チャンネルを介してＵＥ状態情報を有するＥ−ＤＣＨデータをシグナリングするすべての場合に適用可能である。
【００７０】
幾つかのＮｏｄｅ Ｂから受信された送信電力制御命令（ＴＰＣ）をダウン論理和（OR of DOWN）方法を使用して結合することによって、ソフトハンドオーバー領域で電力制御を遂行する場合に、Ｅ−ＤＰＣＣＨ１又はＥ−ＤＰＣＣＨ２の送信電力が不十分なことがあり、その結果、最適のスケジューリングＮｏｄｅ Ｂは、上記ＵＥ状態情報を正確に受信することができない。従って、第３の実施形態は、Ｅ−ＤＰＣＣＨ２の送信電力の欠如を再送信を介して補償する方法を提案する。
【００７１】
ＵＥは、ソフトハンドオーバー領域に進入すると、Ｅ−ＤＰＣＣＨ２データを２回又はそれ以上繰り返し送信することによって、時間ダイバーシティ利得を得る。Ｅ−ＤＰＣＣＨ２の反復回数は、あらかじめ決定された値を使用するか、あるいは、Ｎｏｄｅ Ｂ又はＲＮＣが決定した後に、ＵＥ及びＮｏｄｅ Ｂに報告した値を使用する。
【００７２】
第３の実施形態によるＵＥ送信器の構成を図１０を参照して説明する。図１０を参照すると、ＵＥ状態情報１００５は、Ｅ−ＤＰＣＣＨ２データ１０１０から構成される。Ｅ−ＤＣＨデータのＴＦを規定するＥ−ＤＰＣＣＨ１データ１０１５は、多重化器１００９でＥ−ＤＣＨデータの送信ブロック形式を示すＴＦＲＩ  １００６、Ｅ−ＤＣＨデータを再送信するか否かを示すＨＡＲＱ関連情報１００７、及び他の情報１００８を多重化することによって生成される。Ｅ−ＤＰＣＣＨ１データ１０１５及びＥ−ＤＰＣＣＨ２データ１０１０は、ＤＰＤＣＨデータ１０１３、ＤＰＣＣＨデータ１０１２、ＨＳ−ＤＰＣＣＨデータ１０１１、及びＥ−ＤＣＨデータを含むＥ−ＤＰＤＣＨデータ１０１４と共に、該当チャンネル利得と乗じられた後に、多重化及びチャンネル利得設定ブロック１０１６で時間多重化又はコード多重化される。
【００７３】
多重化及びチャンネル利得設定ブロック１０１６は、ＳＨＯ指示信号１０００に基づいて、ＳＨＯ制御器１００１が生成した制御信号１００２に従って制御される。すなわち、ＳＨＯ指示信号１０００がＳＨＯ領域であることを指示すると、ＳＨＯ制御器１００１は、制御信号１００２を使用して、多重化及びチャンネル利得設定ブロック１０１６でＥ−ＤＰＣＣＨ２データ１０１０の反復回数を制御する。すると、多重化及びチャンネル利得設定ブロック１０１６は、時間多重化によってＥ−ＤＰＣＣＨ２データ１０１０を繰り返し送信する。上述したように、Ｅ−ＤＰＣＣＨ２の反復回数は、あらかじめ決定された値を使用するか、あるいは、Ｎｏｄｅ Ｂによって与えられた値を使用する。
【００７４】
本発明の第３の実施形態によるＮｏｄｅ Ｂ受信器の構成を図１１を参照して説明する。図１１を参照すると、Ｎｏｄｅ Ｂ受信器は、ＵＥから受信された信号１１１７を逆多重化器１１１６でそれぞれのチャンネルデータに逆多重化する。逆多重化器１１１６は、ＨＳ−ＤＰＣＣＨデータ１１１１、ＤＰＣＣＨデータ１１１２、ＤＰＤＣＨデータ１１１３、Ｅ−ＤＣＨデータを有するＥ−ＤＰＤＣＨデータ１１１４、Ｅ−ＤＰＣＣＨ１データ１１１５、及びＥ−ＤＰＣＣＨ２データ１１１０を出力する。Ｅ−ＤＰＣＣＨ２データ１１１０は、ＵＥ送信器から繰り返し送信されることができ、上記反復送信は、上記ＵＥがソフトハンドオーバー領域に位置する場合にのみ遂行される。従って、ＳＨＯ制御器１１０１は、ＳＨＯ指示信号１１００に基づいて発生した制御信号１１０２を用いて逆多重化器１１１６を制御する。
【００７５】
制御信号１１０２がソフトハンドオーバー領域であることを指示する場合に、逆多重化器１１１６は、繰り返し受信されたＥ−ＤＰＣＣＨ２データ１１１０を結合する。このとき、結合方法として最大比合成（Maximum Ratio Combining；ＭＲＣ）方法が使用されることができる。Ｅ−ＤＰＣＣＨ２の反復回数の値としては、あらかじめ決定された値を使用するか、あるいは、Ｎｏｄｅ Ｂ又はＲＮＣが決定した値を使用する。ＵＥ送信器及びＮｏｄｅ Ｂ受信器は、同一の反復回数値を共有する。
【００７６】
第４の実施形態は、ＭＡＣ−ｅシグナリング方法にてＵＥ状態情報をＮｏｄｅ Ｂへ送信する過程において、ソフトハンドオーバー領域に位置したＵＥが最適のスケジューリングＮｏｄｅ ＢへＵＥ状態情報をさらに正確に送信する方法を提案する。
【００７７】
ＵＥは、ＵＥ状態情報をＭＡＣ−ｅシグナリング方法にてＮｏｄｅ Ｂへ送信する。上記ＭＡＣ−ｅシグナリング方法において、ＵＥ状態情報は、パケットデータと共にＥ−ＤＣＨデータに含まれて送信される。このとき、Ｅ−ＤＣＨがＨＡＲＱを支援するチャンネルであるので、Ｅ−ＤＣＨを介して送信されたＵＥ状態情報もＨＡＲＱ動作を伴う。また、ソフトハンドオーバー領域に位置したＵＥ及び上記ＵＥの活動集合に含まれたＮｏｄｅ ＢもＨＡＲＱ動作を遂行し、上記各Ｎｏｄｅ Ｂは、Ｅ−ＤＣＨデータ、特に、ＭＡＣ−ｅシグナリングＥ−ＤＣＨデータのエラーを確認して、ＡＣＫ／ＮＡＣＫ信号を送信する。
【００７８】
上記幾つかのＮｏｄｅ Ｂから受信されたＡＣＫ／ＮＡＣＫ信号のうちのいずれか１つがＡＣＫ信号であれば、ＵＥは、上記ＡＣＫ信号に該当するＭＡＣ−ｅシグナリングＥ−ＤＣＨデータの再送信をこれ以上遂行しない。このとき、非最適のスケジューリングＮｏｄｅ ＢからＡＣＫ信号を受信し、最適のスケジューリングＮｏｄｅ ＢがＮＡＣＫ信号を送信したとすると、最適のスケジューリングＮｏｄｅ Ｂは、ＭＡＣ−ｅシグナリングＥ−ＤＣＨデータに含まれたＵＥ状態情報を認知することができない。従って、第４の実施形態において、最適のスケジューリングＮｏｄｅ Ｂが上記ＵＥ状態情報を受信するときまで、上記ＵＥは、上記ＵＥ状態情報を繰り返し送信する。下記で具体的な過程について説明する。
【００７９】
ＵＥは、ＵＥ状態情報をＭＡＣ−ｅシグナリングＥ−ＤＣＨデータを介して送信する。最適のスケジューリングＮｏｄｅ Ｂが上記ＭＡＣ−ｅシグナリングＥ−ＤＣＨデータに応じてＮＡＣＫ信号を送信し、非最適のスケジューリングＮｏｄｅ ＢがＡＣＫ信号を送信して、上記ＭＡＣ−ｅシグナリングＥ−ＤＣＨデータのＨＡＲＱ動作を終了すると、最適のスケジューリングＮｏｄｅ Ｂは、上記ＵＥ状態情報を受信することができない。
【００８０】
正常の場合に、ＵＥ状態情報は、周期的又は特定のイベントに基づいて発生された後に、該当する周期のみに対して、Ｅ−ＤＣＨデータに載せてＭＡＣ−ｅシグナリング方式にて送信される。しかしながら、上述したように、最適のスケジューリングＮｏｄｅ ＢがＵＥ状態情報を受信する前に、ＨＡＲＱ過程を終了すると、次の周期のＥ−ＤＣＨデータを送信する過程でも、ＵＥは、次のパケットデータ及び上記ＵＥ状態情報をＭＡＣ−ｅシグナリング方法を用いて再送信する。上記再送信されたＵＥ状態情報は、以前に送信されたＵＥ状態情報であってもよく、新たに測定されたＵＥ状態情報であってもよい。上記のように、上記ＵＥがＭＡＣ−ｅシグナリングを用いてＵＥ状態情報を送信したとしても、最適のスケジューリングＮｏｄｅ ＢからのＡＣＫ信号に応じてＨＡＲＱ過程を終了しなければ、ＵＥは、ＴＴＩごとにＵＥ状態情報をＭＡＣ−ｅシグナリングを用いて繰り返し送信する。
【００８１】
このように、ＵＥは、ＵＥ状態情報をＭＡＣ−ｅシグナリングを用いて継続して送信し、最適のスケジューリングＮｏｄｅ ＢがＡＣＫ信号を送信する時点で、ＵＥ状態情報の送信を中止する。すなわち、最適のスケジューリングＮｏｄｅ ＢがＡＣＫ信号を送信する瞬間、ＵＥは、最適のスケジューリングＮｏｄｅ Ｂが上記ＵＥ状態情報を受信したことを認知することができる。すると、ＵＥ状態情報を再送信する必要なしに、ＵＥは、ＵＥ状態情報を送信すべき周期に到達するか、又は、特定のイベントが発生するときまで、ＵＥ状態情報なしに、パケットデータのみを含むＥ−ＤＣＨデータを送信する。
【００８２】
第４の実施形態において、ＵＥのＨＡＲＱ動作は、ＵＥ状態情報を送信するＭＡＣ−ｅシグナリング方法に関係なく、一定であり、ＭＡＣ−ｅレイヤーでＭＡＣ−ｅＰＤＵを生成する動作のみが変更される。
【００８３】
図１２は、本発明の第４の実施形態によるＵＥの動作を示すフローチャートである。図１２を参照すると、ステップ１２０２で、ＵＥは、送信チャンネルデータ、特に、Ｅ−ＤＣＨデータを生成し、ステップ１２０４で、上記Ｅ−ＤＣＨデータを他の送信チャンネルデータと多重化して送信する。ステップ１２０２で生成された上記Ｅ−ＤＣＨデータは、周期的あるいは特定のイベントに基づいてＵＥ状態情報を含むことができる。ステップ１２０６で、ＵＥは、上記Ｅ−ＤＣＨデータがＵＥ状態情報を含むか否かを確認する。上記Ｅ−ＤＣＨデータが上記ＵＥ状態情報を含まない一般のＥ−ＤＣＨデータであれば、ステップ１２０８で、ＵＥは、上記Ｅ−ＤＣＨデータに応じて、ＡＣＫ信号がいずれか１つのＮｏｄｅ Ｂから受信されたか否かを判断する。上記ＡＣＫ信号が最適のスケジューリングＮｏｄｅ Ｂ及び非最適のスケジューリングＮｏｄｅ Ｂのうちのいずれか１つから受信されると、ＵＥは、新たなＥ−ＤＣＨデータを送信するために、ステップ１２０２へ戻る。
【００８４】
一方、すべてのＮｏｄｅ ＢからＮＡＣＫ信号が受信されると、ステップ１２１０で、ＵＥは、上記Ｅ−ＤＣＨデータの再送信回数があらかじめ決定された最大再送信回数に到達したか否かを確認する。上記Ｅ−ＤＣＨデータの再送信回数が上記最大再送信回数に到達しなかったら、ＵＥは、上記Ｅ−ＤＣＨデータを再送信するために、ステップ１２０４へ戻る。しかしながら、上記再送信回数が上記最大再送信回数に到達すると、ＵＥは、上記Ｅ−ＤＣＨデータの送信を放棄し、新たなＥ−ＤＣＨデータを送信するために、ステップ１２０２へ戻る。
【００８５】
一方、上記Ｅ−ＤＣＨデータがＵＥ状態情報及びパケットデータをすべて含むＭＡＣ−ｅシグナリングＥ−ＤＣＨデータであれば、ステップ１２１２で、ＵＥは、ＡＣＫ信号が最適のスケジューリングＮｏｄｅ Ｂから受信されるか否かを確認する。ＡＣＫ信号が最適のスケジューリングＮｏｄｅ Ｂから受信されると、新たなＥ−ＤＣＨデータを送信するために、ステップ１２０２へ戻る。
【００８６】
一方、ＮＡＣＫ信号が最適のスケジューリングＮｏｄｅ Ｂから受信されると、ステップ１２１４で、ＵＥは、ＡＣＫ信号がいずれか１つの非最適のスケジューリングＮｏｄｅ Ｂから受信されるか否かを判断する。上記ＡＣＫ信号がいずれか１つの非最適のスケジューリングＮｏｄｅ Ｂから受信されると、ＵＥは、上記ＭＡＣ−ｅシグナリングＥ−ＤＣＨデータに含まれたパケットデータが非最適のスケジューリングＮｏｄｅ Ｂを介してＲＮＣへ送信されるので、ステップ１２１８で、ＵＥは、新たなパケットデータ及びＵＥ状態情報を含む新たなＥ−ＤＣＨデータを生成した後に、上記新たなＥ−ＤＣＨデータを送信するために、ステップ１２０４へ戻る。
【００８７】
一方、ステップ１２１４で、上記ＮＡＣＫ信号がすべてのＮｏｄｅ Ｂから受信されると判断されると、ステップ１２１６で、ＵＥは、上記ＭＡＣ−ｅシグナリングＥ−ＤＣＨデータの再送信回数が上記最大再送信回数に到達したか否かを確認する。上記ＭＡＣ−ｅシグナリングＥ−ＤＣＨデータの再送信回数が上記最大再送信回数に到達しなかったら、ＵＥは、上記ＭＡＣ−ｅシグナリングＥ−ＤＣＨデータの全体を再送信するために、ステップ１２０４へ戻る。しかしながら、上記ＭＡＣ−ｅシグナリングＥ−ＤＣＨデータの再送信回数が上記最大再送信回数に到達したら、ＵＥは、上記ＭＡＣ−ｅシグナリングＥ−ＤＣＨデータに含まれたパケットデータの送信を放棄し、新たなＥ−ＤＣＨデータを送信するために、ステップ１２１８へ進行する。
【００８８】
以上、本発明の詳細について具体的な実施の形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【００８９】
【図１】従来のＵＭＴＳシステムにおけるＵＴＲＡＮの構成を示す図である。
【図２】ＵＥとＲＮＣとの間のインターフェースを示す階層の構成を示す図である。
【図３】従来の無線リンクでＥ−ＤＣＨを介したデータの送信方式を示す図である。
【図４】従来のＥ−ＤＣＨを介してメッセージを送受信する手順を示すシグナリング図である。
【図５】従来のＥ−ＤＣＨのソフトハンドオーバーを支援する動作を示す図である。
【図６】本発明の第１の実施形態によるＭＡＣ−ｅパケットデータ単位の構成を示す図である。
【図７】本発明の第１の実施形態によるＵＥ状態情報を有するＭＡＣ−ｅシグナリングＥ−ＤＣＨデータを送信する送信器の構成を示す図である。
【図８】本発明の第１の実施形態によるＵＥ状態情報を有するＭＡＣ−ｅシグナリングＥ−ＤＣＨデータを受信するＮｏｄｅ Ｂ受信器の構成を示す図である。
【図９】本発明の第１の実施形態によるＵＥの動作を示すフローチャートである。
【図１０】本発明の第２の実施形態によるＵＥ送信器の構成を示す図である。
【図１１】本発明の第２の実施形態によるＮｏｄｅ Ｂ受信器の構成を示す図である。
【図１２】本発明の第４の実施形態によるＵＥの動作を示すフローチャートである。
【図１】
2006050644.tif 000003
【図２】
2006050644.tif 000004
【図３】
2006050644.tif 000005
【図４】
2006050644.tif 000006
【図５】
2006050644.tif 000007
【図６】
2006050644.tif 000008
【図７】
2006050644.tif 000009
【図８】
2006050644.tif 000010
【図９】
2006050644.tif 000011
【図１０】
2006050644.tif 000012
【図１１】
2006050644.tif 000013
【図１２】
2006050644.tif 000014
【外国語明細書】
2006050644.tif 000015
2006050644.tif 000016
2006050644.tif 000017
2006050644.tif 000018
2006050644.tif 000019
2006050644.tif 000020
2006050644.tif 000021
2006050644.tif 000022
2006050644.tif 000023
2006050644.tif 000024
2006050644.tif 000025
2006050644.tif 000026
2006050644.tif 000027
2006050644.tif 000028
2006050644.tif 000029
2006050644.tif 000030
2006050644.tif 000031
2006050644.tif 000032
2006050644.tif 000033
2006050644.tif 000034
2006050644.tif 000035
2006050644.tif 000036
2006050644.tif 000037
2006050644.tif 000038
2006050644.tif 000039
2006050644.tif 000040
2006050644.tif 000041
2006050644.tif 000042
2006050644.tif 000043
2006050644.tif 000044
2006050644.tif 000045
2006050644.tif 000046
2006050644.tif 000047
2006050644.tif 000048
2006050644.tif 000049
2006050644.tif 000050
2006050644.tif 000051
2006050644.tif 000052
2006050644.tif 000053
2006050644.tif 000054
2006050644.tif 000055
2006050644.tif 000056
2006050644.tif 000057
2006050644.tif 000058
2006050644.tif 000059
2006050644.tif 000060
2006050644.tif 000061
2006050644.tif 000062
2006050644.tif 000063